(57)【要約】【課題】  緊急モードにおいて出力完了通知を行うことで受信確認を可能にしたインターネットファクシミリ通信システムおよび方法およびプログラムを提供する。【解決手段】  メール作成部２０２で緊急通信であることを電子メール技術を用いたインターネットＦＡＸのヘッダー部に割り当てて送信制御部２０３を介して送信者に送信し、それと同時に送信制御部２０３で緊急通信であるインターネットＦＡＸを送信した送信者からの出力完了通知の受信を監視する。受信側では出力制御部２１３で受信の正常終了とインターネットＦＡＸの正常出力を確認して出力完了通知を出力完了通知作成部２１５で作成して送信側に送出する。一定時間内に該出力完了通知を受信しない場合に送信側代替通信部２０５で受信側代替通信部２１７に指示を出す。【選択図】図２
2006080887.tif 000002
【特許請求の範囲】
【請求項１】
インターネットメールを介して送信文書を送信装置から受信装置へ送信するインターネットファクシミリ通信システムにおいて、
前記送信装置は、
前記送信文書に緊急指定情報を付して前記受信装置に送信する送信手段
を具備し、
前記受信装置は、
前記送信装置から受信した受信文書に前記緊急指定情報が付されている場合は、緊急文書受信を報知する報知手段と、
前記報知手段により緊急文書受信を報知した受信文書を直ちに印刷出力する印刷制御手段と
を具備することを特徴とするインターネットファクシミリ通信システム。
【請求項２】
前記受信装置は、
前記印刷制御手段により前記緊急指定情報が付されている受信文書が正常に印刷出力された場合は、出力完了通知を前記送信装置に通知する通知手段
を更に具備し、
前記送信手段は、
前記出力完了通知の受信を監視し、所定の時間以内に前記出力完了通知を受信しない場合は前記緊急指定情報を付した送信文書の送信エラーとして判断する判断手段と
を更に具備することを特徴とする請求項１記載のインターネットファクシミリ通信システム。
【請求項３】
インターネットメールを介して送信文書を送信装置から受信装置へ送信するインターネットファクシミリ通信方法において、
前記送信文書に緊急指定情報を付して送信手段により前記送信装置から前記受信装置に送信し、
前記受信装置は、前記送信装置から受信した受信文書に前記緊急指定情報が付されている場合は、緊急文書受信を報知手段により報知するとともに、
前記報知手段により緊急文書受信を報知した受信文書を印刷制御手段により直ちに印刷出力し、
前記受信装置は、前記印刷制御手段により前記緊急指定情報が付されている受信文書が正常に印刷出力された場合は、出力完了通知を通知手段により前記送信装置に通知し、
前記送信手段は、前記出力完了通知の受信を監視し、所定の時間以内に前記出力完了通知を受信しない場合は前記緊急指定情報を付した送信文書の送信エラーとして判断手段により判断する
ことを特徴とするインターネットファクシミリ通信方法。
【請求項４】
インターネットメールを介して送信文書を送信装置から受信装置へ送信するインターネットファクシミリ通信をコンピュータにより実行させるインターネットファクシミリ通信プログラムであって、
前記送信文書に緊急指定情報を付して前記送信装置から前記受信装置に送信する第１のステップと、
前記受信装置は、前記送信装置から受信した受信文書に前記緊急指定情報が付されている場合は、緊急文書受信を報知する第２のステップとともに、
前記第２のステップにより緊急文書受信を報知した受信文書を直ちに印刷出力する第３のステップと、
前記受信装置は、前記第３のステップにより前記緊急指定情報が付されている受信文書が正常に印刷出力された場合は、出力完了通知を前記送信装置に通知する第４のステップと、
前記第１のステップは、前記出力完了通知の受信を監視し、所定の時間以内に前記出力完了通知を受信しない場合は前記緊急指定情報を付した送信文書の送信エラーとして判断する第５のステップと
を含むことを特徴とするインターネットファクシミリ通信プログラム。
【発明の詳細な説明】
【技術分野】
【０００１】
本発明は、インターネット通信網を利用してファクシミリ通信を行うインターネットファクシミリ通信システムおよび方法およびプログラムに関し、特に、緊急モードにおいて出力完了通知を行うことで受信確認を可能にしたインターネットファクシミリ通信システムおよび方法およびプログラムに関する。
【背景技術】
【０００２】
一般に、インターネットを用いたファクシミリ通信は、従来の電話回線を用いたファクシミリ通信に比べて通信費用が大幅に節約することができるという理由から近年急速に普及しつつある。インターネットを用いたファクシミリ通信（以下、「インターネットＦＡＸ」という）は、メールサーバを介して送受信が行われるため電子メールと同様に世界中の何処へでも送信でき、同報送信や転送を行うことができる。
【０００３】
しかし、インターネット通信回線の回線使用率が高い場合や伝損損失率が大きい場合には伝達時間が大きく変動するほか、回線の電気的切断による受信が正常に行われないなどの問題がある。
【０００４】
受信メールの受領確認通知、受信メールの印字失敗通知、受信メールの添付ファイルの展開失敗通知などを送信者へ返信することができるようにした従来技術として、特許文献１に開示されたものがある。
【０００５】
さらに、特許文献１に開示された従来技術は、受信した電子メールの全てを印刷出力するのかまたは一部のみを出力するのかを設定することができる。
【特許文献１】特開平０９−２４７３３５
【発明の開示】
【発明が解決しようとする課題】
【０００６】
しかしながら、特許文献１に示された従来技術においては、電子メールを送信した送信者は送信の確認を行うことができるが、受信者側で印刷出力された場合であっても受信したことを認識しない場合があるため確認されないという問題がある。
【０００７】
そこで、本発明は、緊急モードにおいて出力完了通知を行うことで受信確認を可能にしたインターネットファクシミリ通信システムおよび方法およびプログラムを提供することを目的とする。
【課題を解決するための手段】
【０００８】
上記目的を達成するため、請求項１の発明は、ンターネットメールを介して送信文書を送信装置から受信装置へ送信するインターネットファクシミリ通信システムにおいて、前記送信装置は、前記送信文書に緊急指定情報を付して前記受信装置に送信する送信手段を具備し、前記受信装置は、前記送信装置から受信した受信文書に前記緊急指定情報が付されている場合は、緊急文書受信を報知する報知手段と、前記報知手段により緊急文書受信を報知した受信文書を直ちに印刷出力する印刷制御手段とを具備することを特徴とする。
【０００９】
また、請求項２の発明は、請求項１の発明において、前記受信装置は、前記印刷制御手段により前記緊急指定情報が付されている受信文書が正常に印刷出力された場合は、出力完了通知を前記送信装置に通知する通知手段を更に具備し、前記送信手段は、前記出力完了通知の受信を監視し、所定の時間以内に前記出力完了通知を受信しない場合は前記緊急指定情報を付した送信文書の送信エラーとして判断する判断手段とを更に具備することを特徴とする。
【００１０】
また、請求項３の発明は、インターネットメールを介して送信文書を送信装置から受信装置へ送信するインターネットファクシミリ通信方法において、前記送信文書に緊急指定情報を付して送信手段により前記送信装置から前記受信装置に送信し、前記受信装置は、前記送信装置から受信した受信文書に前記緊急指定情報が付されている場合は、緊急文書受信を報知手段により報知するとともに、前記報知手段により緊急文書受信を報知した受信文書を印刷制御手段により直ちに印刷出力し、前記受信装置は、前記印刷制御手段により前記緊急指定情報が付されている受信文書が正常に印刷出力された場合は、出力完了通知を通知手段により前記送信装置に通知し、前記送信手段は、前記出力完了通知の受信を監視し、所定の時間以内に前記出力完了通知を受信しない場合は前記緊急指定情報を付した送信文書の送信エラーとして判断手段により判断することを特徴とする。
【００１１】
また、請求項４の発明は、インターネットメールを介して送信文書を送信装置から受信装置へ送信するインターネットファクシミリ通信をコンピュータにより実行させるインターネットファクシミリ通信プログラムであって、前記送信文書に緊急指定情報を付して前記送信装置から前記受信装置に送信する第１のステップと、前記受信装置は、前記送信装置から受信した受信文書に前記緊急指定情報が付されている場合は、緊急文書受信を報知する第２のステップとともに、前記第２のステップにより緊急文書受信を報知した受信文書を直ちに印刷出力する第３のステップと、前記受信装置は、前記第３のステップにより前記緊急指定情報が付されている受信文書が正常に印刷出力された場合は、出力完了通知を前記送信装置に通知する第４のステップと、前記第１のステップは、前記出力完了通知の受信を監視し、所定の時間以内に前記出力完了通知を受信しない場合は前記緊急指定情報を付した送信文書の送信エラーとして判断する第５のステップとを含むことを特徴とする。
【発明の効果】
【００１２】
本発明によれば、緊急通信を要するインターネットＦＡＸの送信文書に対して緊急指定情報を付して送信先をリスト化し、送信先からの出力完了通知の受信を監視するように構成したので、出力完了通知を返信しない相手を特定でき、その相手に対して受信の確認を行うことが可能になるという効果を奏する。
【発明を実施するための最良の形態】
【００１３】
以下、本発明に係わるインターネットファクシミリ通信システムおよび方法およびプログラムの一実施例を添付図面を参照して詳細に説明する。
【実施例】
【００１４】
図１は、この発明に係わるインターネットファクシミリ通信システムおよび方法およびプログラムを適用して構成したネットワーク構成図である。
【００１５】
図１において、インターネットを用いたファクシミリ通信であるインターネットＦＡＸで文書を送信する送信者ネットワーク１００、送信者ネットワーク１００からインターネットＦＡＸで文書を受信する受信者ネットワーク（１１０、１２０）を具備して構成される。
【００１６】
もちろん受信者ネットワークは上記２つのネットワークに限られることなく、複数のネットワークで受信することができる。
【００１７】
送信者ネットワーク１００は、ルータ１０１、送信者側メールサーバ１０２、送信者ＰＣ（Personal Computer：パーソナルコンピュータ）１０３を具備して構成される。
【００１８】
ルータ１０１は、ネットワーク同士を接続する通信装置である。
【００１９】
送信者側メールサーバ１０２は、インターネットＦＡＸの文書を電子メールを利用して送信する際の制御装置である。送信者ＰＣ１０３からインターネットＦＡＸで送信依頼を受け付けると送信先の解析を行い、電子メール技術を用いて送信者に送出する。
【００２０】
送信と共に送信先をリスト化して宛て先と送信したメールの内容とを管理し、さらに送信した時刻も管理して確実に通信が行えたか確認する。
【００２１】
送信者ＰＣ１０３は、インターネットＦＡＸの文書を作成し、緊急性を要するインターネットＦＡＸの文書である場合には緊急指定情報を電子メールに対して付与する。緊急指定情報は、電子メールのヘッダー部に通信レベルを指定できる領域を割り当て、その領域に緊急通信であることを示す情報を指定する。
【００２２】
なお、緊急通信であることを示すにはメールのヘッダー部に領域を割り当てることに限られることなく、インターネットＦＡＸの文書に緊急通信を示すメッセージを追加するような構成にしてもよいし、電子メールの本文に緊急通信を示すメッセージを追加するような構成にしてもよい。
【００２３】
さらには、インターネットＦＡＸの文書の送信と同時に緊急通信であることを示すメッセージを送信するような構成にしてもよい。
【００２４】
受信者ネットワーク１１０と受信者ネットワーク１２０は、共にルータ（１１１，１２１）、受信者メールサーバ（１１２，１２２）、受信者ＰＣ（１１３，１２３）、インターネットＦＡＸ装置（１１４，１２４）を具備して構成される。
【００２５】
ルータ（１１１，１２１）は、ネットワーク同士を接続するインターフェースである。
【００２６】
受信者メールサーバ（１１２，１２２）は、送信者ネットワーク１００から送出されてくるインターネットＦＡＸの文書を受信して通信を制御する。受信したインターネットＦＡＸである電子メールを解析し、緊急通信であるか判別する。緊急通信である場合には緊急に処理を行うように制御し、緊急通信でない場合には通常のインターネットＦＡＸと同様の制御を行う。
【００２７】
また、緊急通信である場合にインターネットＦＡＸの文書を出力し、インターネットＦＡＸの出力装置によって正常に印刷出力が行えたか判断する。正常に印刷出力が行えた場合にはその旨を送信者メールサーバ１０２に対して送出する。
【００２８】
受信者ＰＣ（１１３，１２３）は、一般的なパーソナルコンピュータであり、受信者メールサーバ（１１２，１２２）で緊急通信のインターネットＦＡＸを受信した場合にはその旨を表示させる。もちろん、パーソナルコンピュータに限られることなく、受信装置を示している。
【００２９】
インターネットＦＡＸ装置（１１４，１２４）は、受信者メールサーバ（１１２，１２２）で受信したインターネットＦＡＸの文書を出力する。
【００３０】
出力には、Ｇ３ＦＡＸ（Group 3 facsimile：アナログ回線を用いたファクシミリ）やＧ４ＦＡＸ（Group 4 facsimile：デジタル回線を用いたファクシミリ）やプリンタなどを用いる。インターネットＦＡＸでは受信した文書が正常に処理できた場合には正常終了を示す出力完了通知を受信者メールサーバ（１１２，１２２）に対して送出する。
【００３１】
これにより緊急通信を要するインターネットＦＡＸであっても通信の確立と正常な印刷出力を確認できるとともに受信者に対して緊急通信インターネットＦＡＸの文書の受信・出力を伝達することができる。
【００３２】
図２は、この発明に係わるインターネットファクシミリ通信システムのシステム構成を示す図である。
【００３３】
図２には、図１に示したネットワーク構成の各ノードの構成を詳細に示した構成図であり、インターフェース（２０１、２１０）、メール作成部２０２、送信制御部２０３、送信リスト保存部２０４、送信側代替通信部２０５、種類判別部２１１、メール保存部２１２、出力制御部２１３、表示部２１４、出力完了通知作成部２１５、プリンタ２１６、受信側代替通信部２１７を具備して構成される。
【００３４】
インターフェース（２０１，２１０）は、インターネットＦＡＸの外部出力インターフェースである。ネットワーク間の通信の際にはインターフェースを経由して通信が行われる。
【００３５】
メール作成部２０２は、インターネットＦＡＸの文書が作成され、電子メール技術を用いてインターネットＦＡＸの電子メールが作成される。このとき緊急通信である場合には緊急通信であることを作成された電子メールのヘッダー部に割り当てる。
【００３６】
送信制御部２０３は、指定された宛て先に対して電子メールを送出する。そしてメール作成部２０２で作成された電子メールに指定された送信先アドレスを抽出し、該電子メールに対する送信先として送信リスト保存部２０４でリスト保存するとともに送信した時刻をもリスト保存する。
【００３７】
緊急通信であることが示された電子メールの送信先に対しては、送信先からの出力完了通知の受信を監視する。出力完了通知を受信した場合には送信リストと比較して出力完了通知を受信していない送信先を特定する。監視したある一定の時間内に出力完了通知を受信しない送信先を抽出し、送信側代替通信部２０５でその送信先に対して通信を行うように指示を送出する。
【００３８】
送信リスト保存部２０４は、送信制御部２０３により抽出した送信先アドレスと送信を行った時刻とを電子メールごとにリスト化して保存する。送信制御部２０３は、電子メールの送信を行った時刻とあらかじめ指定された一定の時間とを常時比較して該時間を超過した際に送信先から出力完了通知が送出されてきていない送信先を特定する。
【００３９】
送信側代替通信部２０５は、送信制御部２０３で送信先からの出力完了通知を監視して一定の時間内に通知を受信しない送信先に対して連絡を行う通信手段である。
【００４０】
例えば、一般公衆回線網を用いた電話やインターネット回線を用いたＩＰ電話、またはユーザが離席している際などには携帯電話やポケットベルなどを使用して連絡を徹底させる。
【００４１】
種類判別部２１１は、送信元から送信されてくるインターネットＦＡＸの電子メールのヘッダー部に割り当てられた通信の種類を示す領域を解析し、その結果緊急通信である場合には電子メールの内容を出力制御部２１３に送出する。また、緊急通信でない場合には通常の電子メールと判断してメール保存部２１２に保存する。
【００４２】
メール保存部２１２は、緊急通信を要さない電子メールを保存する。保存された電子メールは受信者の電子メールソフトでＰＯＰ３（Post Office Protocol version3：メール受信プロトコル）などのプロトコルを用いて確認できる。
【００４３】
出力制御部２１３は、種類判別部２１１により緊急通信を要するインターネットＦＡＸであると判断された場合には、表示部２１４にその旨を表示させ、さらにプリンタ２１６で出力を行う。プリンタ２１６で出力を行う際には緊急通信を要することを明確にするため、専用トレイの用紙を用いて出力するように制御する。例えば、専用トレイに特別なカラー用紙をセットしておき、そのカラー用紙にて出力された場合には緊急通信を要するインターネットＦＡＸの文書であることを視覚的にも容易に判別できる。
【００４４】
印刷出力を行った後にはプリンタ２１６が正常に出力できたかを確認し、プリンタからの正常終了信号を受け付けると出力完了通知作成部２１５に正常終了信号を送信する。
【００４５】
表示部２１４は、緊急通信を要するインターネットＦＡＸの電子メールを受信した際にその旨を画面表示する。表示された画面を参照してユーザがプリンタの出力を確認（例えば、ＯＫボタンを押下）した場合には出力制御部２１３に確認済み信号を送信する。
【００４６】
出力完了通知作成部２１５は、プリンタ２１６からの正常終了信号と表示部２１４からの確認済み信号とを受信することにより正常に処理が行われかつ、受信者による確認が行われたと判断して出力完了通知を作成する。作成した出力完了通知を送信者に対して送信する。
【００４７】
プリンタ２１６は、電子メールとして送信されてきたインターネットＦＡＸの文書を出力する。緊急通信を要するインターネットＦＡＸの場合にはアラームなどを鳴らして出力するような構成にしてもよい。
【００４８】
受信側代替通信部２１７は、送信側代替通信部２０５で用いられた通信手段で通信が行われる。
【００４９】
このような構成によれば、インターネットＦＡＸの文書の受信が正常に行われたかの確認と、受信したインターネットＦＡＸの文書がプリンタ２１６で出力されたことを確認したことが確認でき、出力完了が行われない送信先を特定することができる。
【００５０】
さらには、印刷出力に特定のカラー用紙や特定のアラームを用いることで受信者のみならず緊急通信を要するインターネットＦＡＸの文書を受信したことを即座に周知することができる。
【００５１】
図３は、緊急通信を要するインターネットＦＡＸの文書を受信した画面を示す図である。
【００５２】
図３は、緊急通信を要するインターネットＦＡＸの文書を受信した際に受信者のＰＣに表示される画面である。ユーザがこの画面が表示されるとインターネットＦＡＸ装置を確認し、緊急通信を要するインターネットＦＡＸの文書を確認する。
【００５３】
図３には緊急通信を要するインターネットＦＡＸを受信したことを示すメッセージとＯＫボタン３０１を具備される。
【００５４】
ＯＫボタン３０１を押下することにより受信したインターネットＦＡＸの文書を確認したと判断するため、図２に示す出力制御部２１３に確認済み信号を送信する。
【００５５】
図４は、緊急通信を要するインターネットＦＡＸであることを示す電子メールのヘッダー部の内容を示す図である。
【００５６】
図４に示すインターネットＦＡＸの電子メール４００は、ヘッダー部４０１、本文４０２を具備して構成されている。
【００５７】
ヘッダー部４０１は、電子メールの送信先などの情報を示し、通信レベル項目４０３を具備して構成される。
【００５８】
通信レベル項目４０３は、緊急通信であるか通常の通信であるかを指定することができる。
【００５９】
例えば、図４に示した図では、通信レベルを示す項目として「X-Message-level」が示され、その内容に「essential」が示されている。これは、通信レベルが緊急であることを示しているため本電子メールは図２に示す種類判別部２１１により緊急通信を要するインターネットＦＡＸと判別される。
【００６０】
また、内容に「ordinary」が示されている場合、何も指定されていない場合、通信レベルを示す項目自体がない場合などにおいては、通常の電子メールであると判断して処理する。
【００６１】
図５は、送信者と受信者間の処理遷移を示すシーケンス図である。
【００６２】
図５には、送信者、受信者、プリンタ間のシーケンスを示しており、送信者が緊急通信を要するインターネットＦＡＸであることを指定して受信者に送信する（Ｓ５０１）と、受信者側では通信内容を確認してインターネットＦＡＸ対応のプリンタに出力要求を送出する（Ｓ５０２）。出力要求を受けたプリンタはインターネットＦＡＸの文書を出力し、出力した結果を受信者に対して出力応答する（Ｓ５０３）。出力応答を受け付けた受信者は、出力したインターネットＦＡＸの文書を確認し、図３に示す画面のＯＫボタン３０１を押下する。出力完了通知に受信した受信者のアドレスを付して送信する（Ｓ５０４）。
【００６３】
送信者は、一定時間が過ぎても出力完了通知が送信されてこない受信者に対して代替通信手段を用いて受信の確認を行う（Ｓ５０５）。
【００６４】
上記代替通信手段を用いた受信の確認は、出力完了通知が送出されてこない受信者に対してのみ行うため、すべての受信者から出力完了通知が送出されてきた場合には受信の確認を行わないことになる。
【００６５】
図６は、送信者側の処理の流れを示すフローチャートである。
【００６６】
図６において、インターネットＦＡＸの文書が作成されると処理が開始され、インターネットＦＡＸの文書を電子メール技術を用いて送信する際に緊急通信であることを指定すると電子メールのヘッダー部の領域に緊急通信であることを示す項目が割り当てられ（Ｓ６０１）、送信先に対する送信したインターネットＦＡＸの文書と送信開始時間を送信リストに追加する（Ｓ６０２）。緊急通信を示すインターネットＦＡＸを電子メール技術を用いて受信者に送信する（Ｓ６０３）。
【００６７】
送信リストに追加されたインターネットＦＡＸの文書における出力完了通知が所定の時間内に受信するか監視し（Ｓ６０４）、所定の時間内に出力完了通知を受信したか判断し（Ｓ６０５）、出力完了通知が受信した場合（Ｓ６０５でＹＥＳ）には、出力完了通知を受信した送信先の送信リストを更新する（Ｓ６０６）。また出力完了通知が所定の時間内に受信しない場合（Ｓ６０５でＮＯ）には、代替通信手段を用いて緊急通信を要するインターネットＦＡＸの文書が出力されたか出力確認を行う（Ｓ６０７）。
【００６８】
送信リストによって管理された送信先からの出力完了通知がすべて通知されたか判断し（Ｓ６０８）、すべて通知されている場合（Ｓ６０８でＹＥＳ）には、処理を終了する。それに対して、少なくとも１つ以上の送信先からの出力完了通知が未受信である場合（Ｓ６０８でＮＯ）には、引き続き出力完了通知の受信を監視する処理（Ｓ６０４）以降を繰り返し行う。
【００６９】
図７は、受信者側の処理の流れを示すフローチャートである。
【００７０】
図７において、送信者からインターネットＦＡＸの文書を電子メール技術を用いて受信すると処理が開始され、送信されてきた電子メールが正常に受信したか判断し（Ｓ７０１）、正常に受信が行われない場合（Ｓ７０１でＮＯ）には、通信エラーが発生したと判断して受信異常を示す受信異常通知を作成し（Ｓ７０２）、作成した受信異常通知を送信者に対して送出する（Ｓ７０３）。
【００７１】
電子メールを正常に受信した場合（Ｓ７０１でＹＥＳ）には、通信レベルを判断し（Ｓ７０４）、緊急通信を要さない通常の電子メールである場合（Ｓ７０４でＮＯ）には、通常のメールであると判断してメールサーバに保管して処理を終了する（Ｓ７０５）。それに対して、緊急通信を要する緊急通信メールである場合（Ｓ７０４でＹＥＳ）には、インターネットＦＡＸに対応したプリンタの専用トレイの専用用紙に印刷出力する（Ｓ７０６）。その印刷出力が正常に終了したか判断し（Ｓ７０７）、処理が正常に終了しない場合（Ｓ７０７でＮＯ）には、再度、印刷出力を行う（Ｓ７０６）。
【００７２】
印刷出力が正常に終了した場合（Ｓ７０７でＹＥＳ）には、送信者に対して受信者のアドレスを付した出力完了通知を作成する（Ｓ７０８）。このとき同時に印刷出力を行う出力装置でアラームを発呼し（Ｓ７０９）、受信者に対して緊急通信を受信したことを示すメッセージを画面表示する（Ｓ７１０）。そして、作成した出力完了通知を送信者に対して送出する（Ｓ７１１）。
【００７３】
以上の処理によって、本発明の通信制御装置では、インターネットＦＡＸの文書を確実に出力したことを確認することができ、受信者による情報の伝達を確認することができる。
【００７４】
これによって、一定の時間を過ぎても出力完了通知がない送信先を特定することができ、その送信先に対して代替通信手段を用いることにより通信の各にを行うことが可能となる。
【００７５】
なお、上記フローチャートに示す処理は、コンピュータにより実行可能な通信制御プログラムによっても実現できる。
【００７６】
本発明は、上記し、且つ図面に示す実施例に限定することなく、その要旨を変更しない範囲内で適宜変形して実施できるものである。
【００７７】
例えば、上記実施例では、受信者ＰＣに対して緊急通信を要するインターネットＦＡＸの文書を受信したことを表示するような構成にしているが、受信者側のユーザが離席しているなどして緊急通信を即座に確認することができない場合には、他のユーザに対して通知するような構成にしてもよい。
【産業上の利用可能性】
【００７８】
本発明は、インターネットを用いたファクシミリ通信を行うインターネットファクシミリ通信システムおよび方法およびプログラムに適用可能であり、特に、緊急通信を要するインターネットファクシミリ通信である場合にインターネットファクシミリ通信の文書の出力確認を行うことにより確実に情報の伝達を行えるようにするのに有用である。
【図面の簡単な説明】
【００７９】
【図１】この発明に係わるインターネットＦＡＸ通信システムおよび通信制御方法および通信制御プログラムを適用して構成したネットワーク構成図。
【図２】この発明に係わるインターネットＦＡＸ通信システムのシステム構成を示す図。
【図３】緊急通信を要するインターネットＦＡＸの文書を受信した画面を示す図。
【図４】緊急通信を要するインターネットＦＡＸであることを示す電子メールのヘッダー部の内容を示す図。
【図５】送信者と受信者間の処理遷移を示すシーケンス図。
【図６】送信者側の処理の流れを示すフローチャート。
【図７】受信者側の処理の流れを示すフローチャート。
【符号の説明】
【００８０】
１００      送信者ネットワーク
１０１      ルータ
１０２      送信者メールサーバ
１０３      送信者ＰＣ
１１０、１２０      受信者ネットワーク
１１１、１２１      ルータ
１１２、１２２      受信者メールサーバ
１１３、１２３      受信者ＰＣ
２０１      インターフェース
２０２      メール作成部
２０３      送信制御部
２０４      送信リスト保存部
２０５      送信側代替通信部
２１０      インターフェース
２１１      種類判別部
２１２      メール保存部
２１３      出力制御部
２１４      表示部
２１５      出力完了通知作成部
２１６      プリンタ
２１７      受信側代替通信部
【図１】
2006080887.tif 000003
【図２】
2006080887.tif 000004
【図３】
2006080887.tif 000005
【図４】
2006080887.tif 000006
【図５】
2006080887.tif 000007
【図６】
2006080887.tif 000008
【図７】
2006080887.tif 000009